【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
アルキルアンモニウム塩含有排水を嫌気的に生物処理し、メタンガスの発生を伴う嫌気性生物処理方法であって、前記生物処理する際の前記アルキルアンモニウム塩含有排水中のアルキルアンモニウム塩濃度を２００００ｍｇ／Ｌ以下とすることを特徴とする嫌気性生物処理方法。
【請求項２】
アルキルアンモニウム塩含有排水を嫌気的に生物処理し、メタンガスの発生を伴う嫌気性生物処理方法であって、前記生物処理する際の前記アルキルアンモニウム塩含有排水中の有機態窒素及びアンモニア性窒素の総濃度を３９００ｍｇ−Ｎ／Ｌ以下とすることを特徴とする嫌気性生物処理方法。
【請求項３】
前記生物処理後の処理水の一部を再度、前記アルキルアンモニウム塩含有排水へ循環させることを特徴とする請求項１又は２に記載の嫌気性生物処理方法。
【請求項４】
前記生物処理する際の前記アルキルアンモニウム塩含有排水中のアルキルアンモニウム塩濃度を１００００ｍｇ／Ｌ以下とすることを特徴とする請求項３に記載の嫌気性生物処理方法。
【請求項５】
アルキルアンモニウム塩含有排水を嫌気的に生物処理し、メタンガスの発生を伴う嫌気性生物処理方法であって、前記アルキルアンモニウム塩含有排水を前記生物処理するに当たり、ｐＨを６．５〜９．０の範囲にすることを特徴とする嫌気性生物処理方法。
【請求項６】
アルキルアンモニウム塩含有排水を嫌気的に生物処理し、メタンガスの発生を伴う嫌気性生物処理方法であって、前記アルキルアンモニウム塩含有排水を前記生物処理するに当たり、水温を２０℃以上とすることを特徴とする嫌気性生物処理方法。
【請求項７】
アルキルアンモニウム塩含有排水を嫌気的に生物処理し、メタンガスの発生を伴う嫌気性生物処理方法であって、（１）前記生物処理する際の前記アルキルアンモニウム塩含有排水中のアルキルアンモニウム塩濃度を２００００ｍｇ／Ｌ以下とすること、又は前記生物処理する際の前記アルキルアンモニウム塩含有排水中のアルキルアンモニウム塩濃度を２００００ｍｇ／Ｌ以下とすると共に、前記生物処理後の処理水の一部を再度、前記アルキルアンモニウム塩含有排水へ循環させること、（２）前記生物処理する際の前記アルキルアンモニウム塩含有排水中の有機態窒素及びアンモニア性窒素の総濃度を３９００ｍｇ−Ｎ／Ｌ以下とすること、又は前記生物処理する際の前記アルキルアンモニウム塩含有排水中の有機態窒素及びアンモニア性窒素の総濃度を３９００ｍｇ−Ｎ／Ｌ以下とすると共に、前記生物処理後の処理水の一部を再度、前記アルキルアンモニウム塩含有排水へ循環させること、（３）前記アルキルアンモニウム塩含有排水を前記生物処理するに当たり、ｐＨを６．５〜９．０の範囲にすること、（４）前記アルキルアンモニウム塩含有排水を前記生物処理するに当たり、水温を２０℃以上とすることのうち、いずれか２つ以上を行うことを特徴とする嫌気性生物処理方法。
【請求項８】
前記アルキルアンモニウ塩がテトラメチルアンモニウムハイドロオキサイド（ＴＭＡＨ）であることを特徴とする請求項１〜７のいずれか１項に記載の嫌気性生物処理方法。
【請求項９】
アルキルアンモニウム塩含有排水を嫌気的に生物処理し、メタンガスの発生を伴う生物処理手段と、
前記生物処理手段に流入する際の前記アルキルアンモニウム塩含有排水中のアルキルアンモニウム塩濃度を２００００ｍｇ／Ｌ以下とするアルキルアンモニウム塩濃度調整手段と、を備えることを特徴とする嫌気性生物処理装置。
【請求項１０】
アルキルアンモニウム塩含有排水を嫌気的に生物処理し、メタンガスの発生を伴う生物処理手段と、
前記生物処理手段に流入する際の前記アルキルアンモニウム塩含有排水中の有機態窒素及びアンモニア性窒素の総濃度を３９００ｍｇ−Ｎ／Ｌ以下とする窒素濃度調整手段と、を備えることを特徴とする嫌気性生物処理装置。
【請求項１１】
前記生物処理後の処理水の一部を再度、前記アルキルアンモニウム塩含有排水へ循環させる循環手段を備えることを特徴とする請求項９又は１０に記載の嫌気性生物処理装置。
【請求項１２】
前記生物処理手段に流入する際の前記アルキルアンモニウム塩含有排水中のアルキルアンモニウム塩濃度を１００００ｍｇ／Ｌ以下とするアルキルアンモニウム塩濃度調整手段を備えることを特徴とする請求項１１に記載の嫌気性生物処理装置。
【請求項１３】
アルキルアンモニウム塩含有排水を嫌気的に生物処理し、メタンガスの発生を伴う生物処理手段と、
前記アルキルアンモニウム塩含有排水を前記生物処理するに当たり、ｐＨを６．５〜９．０の範囲にするｐＨ調整手段と、を備えることを特徴とする嫌気性生物処理装置。
【請求項１４】
アルキルアンモニウム塩含有排水を嫌気的に生物処理し、メタンガスの発生を伴う生物処理手段と、
前記アルキルアンモニウム塩含有排水を前記生物処理するに当たり、前記生物処理手段内の水温を２０℃以上にする温度調整手段と、を備えることを特徴とする嫌気性生物処理装置。
【請求項１５】
アルキルアンモニウム塩含有排水を嫌気的に生物処理し、メタンガスの発生を伴う生物処理手段と、
（１）前記生物処理手段に流入する際の前記アルキルアンモニウム塩含有排水中のアルキルアンモニウム塩濃度を２００００ｍｇ／Ｌ以下とするアルキルアンモニウム塩濃度調整手段、又は前記アルキルアンモニウム塩濃度調整手段と前記生物処理後の処理水の一部を再度、前記アルキルアンモニウム塩へ循環させる循環手段、（２）前記生物処理手段に流入する際の前記アルキルアンモニウム塩含有排水中の有機態窒素及びアンモニア性窒素の総濃度を３９００ｍｇ−Ｎ／Ｌ以下とする窒素濃度調整手段、又は前記窒素濃度調整手段及び前記生物処理後の処理水の一部を再度、前記アルキルアンモニウム塩へ循環させる循環手段、（３）前記アルキルアンモニウム塩含有排水を前記生物処理するに当たり、ｐＨを６．５〜９．０の範囲にするｐＨ調整手段、（４）前記アルキルアンモニウム塩含有排水を前記生物処理するに当たり、前記生物処理手段内の水温を２０℃以上にする温度調整手段の（１）〜（４）のうち、いずれか２つ以上の手段と、を備えることを特徴とする嫌気性生物処理装置。
【請求項１６】
前記アルキルアンモニウム塩がテトラメチルアンモニウムハイドロオキサイド（ＴＭＡＨ）であることを特徴とする請求項９〜１５のいずれか１項に記載の嫌気性生物処理装置。
【請求項１７】
アルキルアンモニウム塩含有排水を嫌気的に生物処理し、メタンガスの発生を伴う嫌気性生物処理方法であって、前記生物処理する際の前記アルキルアンモニウム塩含有排水中のアルキルアンモニウム塩濃度は２００００ｍｇ／Ｌ以下であることを特徴とする嫌気性生物処理方法。
【請求項１８】
アルキルアンモニウム塩含有排水を嫌気的に生物処理し、メタンガスの発生を伴う嫌気性生物処理方法であって、前記生物処理する際の前記アルキルアンモニウム塩含有排水中の有機態窒素及びアンモニア性窒素の総濃度は３９００ｍｇ−Ｎ／Ｌ以下であることを特徴とする嫌気性生物処理方法。
【請求項１９】
アルキルアンモニウム塩含有排水を嫌気的に生物処理し、メタンガスの発生を伴う嫌気性生物処理方法であって、前記アルキルアンモニウム塩含有排水を前記生物処理するに当たり、水温は２０℃以上であることを特徴とする嫌気性生物処理方法。
【請求項２０】
アルキルアンモニウム塩含有排水を嫌気的に生物処理し、メタンガスの発生を伴う生物処理手段を備える生物処理装置であって、前記生物処理手段に流入する際の前記アルキルアンモニウム塩含有排水中のアルキルアンモニウム塩濃度は２００００ｍｇ／Ｌ以下であることを特徴とする嫌気性生物処理装置。
【請求項２１】
アルキルアンモニウム塩含有排水を嫌気的に生物処理し、メタンガスの発生を伴う生物処理手段を備える生物処理装置であって、前記生物処理手段に流入する際の前記アルキルアンモニウム塩含有排水中の有機態窒素及びアンモニア性窒素の総濃度は３９００ｍｇ−Ｎ／Ｌ以下であることを特徴とする嫌気性生物処理装置。
【請求項２２】
アルキルアンモニウム塩含有排水を嫌気的に生物処理し、メタンガスの発生を伴う生物処理手段を備える生物処理装置であって、前記アルキルアンモニウム塩含有排水を前記生物処理するに当たり、前記生物処理手段内の水温は２０℃以上であることを特徴とする嫌気性生物処理装置。